(57)【要約】【課題】本考案は、杭の鉛直度（％）を一人の作業者によって簡単に且つ効率よく測定することを可能にする土木構造物の基礎杭鉛直度測定器を提供する。【解決手段】本考案の土木構造物の基礎杭鉛直度測定器は、水平の上方横材１と、垂直の縦材２と、水平の下方横材３から一体に形成された［ 型の角パイプの測定器本体４と、前記上方横材１に前記縦材２から所定距離隔てた位置に下げ振り用ピン５を取付け、一方、前記下方横材３に前記縦材２から下方横材面に沿ってスケール６を取付け固定する。前記縦材２には、背面（鋼製杭に接する面）の上下に複数個の固定用磁石７を固定する。【選択図】図１
0003170895.tif 000002
【実用新案登録請求の範囲】
【請求項１】
水平の上方横材と、垂直の縦材と、水平の下方横材から一体に形成された［ 型の角パイプの測定器本体と、前記上方横材に前記縦材から所定距離隔てた位置に下げ振り用ピンを取付け、該下げ振り用ピンには下げ振りを吊り下げた下げ振り糸を締結して垂下させ、一方、前記下方横材に前記縦材から下方横材面に沿ってスケールを取付け固定することを特徴とする土木構造物の基礎杭鉛直度測定器。
【請求項２】
前記縦材には、鋼製杭に接する面の上下に複数個の固定用磁石を固定することを特徴とする請求項１記載の土木構造物の基礎杭鉛直度測定器。
【考案の詳細な説明】
【技術分野】
【０００１】
本考案は、杭の鉛直度（％）を一人の作業者によって簡単に且つ効率よく測定することを可能にする土木構造物の基礎杭鉛直度測定器に関する。
【背景技術】
【０００２】
基礎杭の施工にあたっては、「鉛直度」や「偏心量」について、発注者側の共通仕様書に示されている「それぞれの規格値」を満足するように通常行われている。基礎杭の「鉛直度」の管理には、トランシットという精密測量機材を使用し、「偏心量」の管理には、トランシットと測定メジャーを使用している。
基礎杭等の鉛直度管理に際し、トランシットを使用した方法では、トランシットの据付精度（時間）や測定者の技量等、鉛直度の観測精度に問題を内包していた。
また、基礎杭の施工は、橋梁の基礎やビルディングの基礎等、山間地や市街地で実施されることも多く、施工ヤードのスペース的な制約を受ける。このような条件下においては、トランシットの使用による基礎杭の鉛直度管理を行う場合には、大型施工機械の振動や他工種作業の支障にならない設置場所の選定、更には降雨時におけるトランシット養生（防水対策）に配慮しなければならない。
【０００３】
そのため従来、柱・壁等の鉛直精度を一人の作業によって簡単かつ能率よく測定することを可能とする鉛直測定具が知られている（特許文献１を参照）。
この公知技術は、鉛直精度を測定しようとする面の上部に押圧される上部当接板と、この上部当接板の下方で、前記鉛直精度を測定しようとする面に押圧される下部当接板とを備え、前記上部当接板と前記下部当接板とが棒状部材で連結され、また前記上部当接板からは下げ振り糸が吊り下げられており、この下げ振り糸は前記鉛直測定面から所定長だけ離れた位置で垂下されている。一方前記下部当接板には鉛直測定面と直角となるように物差し状の間隔測定部材が取り付けられており、前記下げ振り糸と前記鉛直測定面との間隔を測定できるようになっている。この測定値と、前記上部当接板における鉛直測定面から下げ振り糸の垂下位置までの距離とを比較することにより鉛直精度を測定する鉛直測定具である。
【０００４】
前記鉛直測定具は、連結棒を適当な長さに固定し、前記連結棒の下部を把持して鉛直精度を測定しようとする柱の側面等に上部当接板と下部当接板を押圧させ、この状態で下げ振り糸を静止させて下げ振り糸の位置を間隔測定部材の目盛から読み取るものであった。
そのため、鉛直測定面からの距離は予め設定された値となっているので、上記測定値をこの値と比較することにより、測定面が鉛直か否か、どの程度傾いているかを検知することができるものであったが、鉛直度（％）は計算しなければ求めることができないものであった。
【先行技術文献】
【特許文献】
【０００５】
【特許文献１】特開平９-２５７４８５号公報
【考案の概要】
【考案が解決しようとする課題】
【０００６】
本考案は、杭の鉛直度（％）を一人の作業者によって簡単に且つ効率よく測定することを可能にする土木構造物の基礎杭鉛直度測定器を提供することを目的とする。
【課題を解決するための手段】
【０００７】
本考案の土木構造物の基礎杭鉛直度測定器は、水平の上方横材と、垂直の縦材と、水平の下方横材から一体に形成された［ 型の鉄製の測定器本体と、前記上方横材に前記縦材から所定距離隔てた位置に下げ振り用ピンを取付け、該下げ振り用ピンには下げ振りを吊り下げた下げ振り糸を締結して垂下させ、一方、前記下方横材に前記縦材から下方横材面に沿ってスケールを取付け固定するものである。
前記縦材には、鋼製杭に接する面の上下に複数個の固定用磁石を固定する。
また、鋼製以外の、例えばコンクリート杭、木製品の場合には上下複数箇所にゴムバンド等の締結具を用いて固定する。
【考案の効果】
【０００８】
本考案の土木構造物の基礎杭鉛直度測定器は、水平の上方横材と、垂直の縦材と、水平の下方横材から一体に形成された［ 型の鉄製の測定器本体と、前記上方横材に前記縦材から所定距離隔てた位置に下げ振り用ピンを取付け、一方、前記下方横材に前記縦材から下方横材面に沿ってスケールを取付け固定するため、鉛直度の精度を要するあらゆる構造体について、特別な技量を必要とせず、簡単に鉛直度（％）の測定ができる。
【図面の簡単な説明】
【０００９】
【図１】本考案の土木構造物の基礎杭鉛直度測定器の正面図である。
【図２】本考案の土木構造物の基礎杭鉛直度測定器の側面図である。
【図３】本考案の土木構造物の基礎杭鉛直度測定器の下部を拡大して示す説明図である。
【考案を実施するための形態】
【００１０】
本考案の土木構造物の基礎杭鉛直度測定器の一実施例を添付図面に基づいて、以下に説明する。
図１の正面図に示すように、本考案の土木構造物の基礎杭鉛直度測定器は、水平の上方横材１と、垂直の縦材２と、水平の下方横材３から一体に形成された［ 型の角パイプの測定器本体４と、前記上方横材１に前記縦材２から所定距離隔てた位置に下げ振り用ピン５を取付け、一方、前記下方横材３に前記縦材２から下方横材面に沿ってスケール６を取付け固定する。
前記縦材２には、図２の側面図に示すように、側面（鋼製杭に接する面）の上下に複数個、この実施例では３個の固定用磁石７をボルト８及びナット９で固定する。なお、鋼製以外の、例えばコンクリート杭、木製品の場合には上下複数箇所にゴムバンド等の締結具を用いて固定する。
なお、番号１０は、角パイプの開口部を塞ぐ小口蓋である。
【００１１】
前記測定器本体４は、換算し易いように全長を１０００ミリ、すなわち縦材２を１０００ミリとし、前記上方横材１と前記下方横材３を同一長さ、例えば２５０ミリにする。
前記下げ振り用ピン５は、前記上方横材１に前記縦材２から１００ミリ隔てた位置に取付け、下げ振り(図示せず)を吊り下げた下げ振り糸(図示せず)を前記下方横材３より下方に突き出すように長く形成し、前記下げ振り用ピン５に前記下げ振り糸(図示せず)を締結して垂下させる。
なお、図３に示す前記スケール６は、２００ミリの長さとする。
【００１２】
次に、本考案の土木構造物の基礎杭鉛直度測定器の操作動作を添付図面に基づいて、以下に説明する。
最初に、測定器本体４の下げ振り用ピン５に下げ振り(図示せず)を吊り下げた下げ振り糸(図示せず)を締結して垂下させる。
鋼製杭に前記測定器本体４を固定用磁石７により上下方向に取り付ける。その際縦材２が鉛直になるように、下げ振り糸(図示せず)に下方横材３を接するように横方向から前記下げ振り糸(図示せず)を覗く。
正面視で、垂下させた下げ振り糸(図示せず)がスケール６に交差する目盛数値を読む。
例えば、目盛数値の読みが１００ミリの場合、下げ振り用ピン５の取付け位置が前記縦材２から１００ミリ隔てた位置であるため、左右方向の鉛直度は１００％、９５ミリの場合、左へ５ミリ（−０．５％）傾斜、１０３ミリの場合、右へ３ミリ（＋０．３％）である。
前記測定器本体４を直角方向（（杭の直径×円周率）÷４）に離して２個使用することで、Ｘ方向とＹ方向の鉛直度を同時に測定できる。
【符号の説明】
【００１３】
１  上方横材
２  縦材
３  下方横材
４  測定器本体
５  下げ振り用ピン
６  スケール
７  固定用磁石
８  ボルト
９  ナット
１０  小口蓋
【図１】
0003170895.tif 000003
【図２】
0003170895.tif 000004
【図３】
0003170895.tif 000005